(57)【要約】  本発明は、可変バンドの変調済信号（ｘ）を生成する方法に関する。当該変調済信号（ｘ）の変調デジタル信号（Ｘ）は、少なくとも１つの成分（Ｃ、Ｓ、Ｐ）を含む。当該可変バンドについてのデジタル情報（ｒ）は、当該少なくとも１つの成分（Ｃ、Ｓ、Ｐ）または当該変調信号（Ｘ）に反復してまたは周期的にスーパーインポーズされる。  受信した変調済信号（ｘ"）を処理する一方、変調済デジタル信号（Ｘ"）を抽出し、スーパーインポーズされたデジタル情報（ｒ）を得て、抽出された当該デジタル情報（ｒ）を用いて当該変調済信号（ｘ"）のバンドを決定し、当該変調済信号（ｘ"）の復調および復号化を完了する。【選択図】図１
2014532370.tif 000002
【特許請求の範囲】
【請求項１】
可変バンドの変調済信号を生成する方法であって、前記変調済信号の変調デジタル信号は少なくとも１つの成分を含み、前記可変バンドについてのデジタル情報は、前記少なくとも１つの成分または前記変調信号に反復してまたは周期的にスーパーインポーズされることを特徴とする、方法。
【請求項２】
可変バンドのＯＦＤＭ信号を生成し、前記ＯＦＤＭ信号の前記変調信号は伝送されるユーザメッセージに関する第１の複数の成分と、伝送されるシグナリングに関する第２の複数の成分と、伝送されるパイロットキャリアに関する第３の複数の成分とを含み、前記第１、第２、および第３の複数の成分は前記変調信号の第４の複数の成分を形成するように関連付けられ、前記可変バンドについての情報は、前記第１、第２、第３、および第４の複数の成分のうちの少なくとも１つに反復してまたは周期的にスーパーインポーズされることを特徴とする、請求項１に記載の方法。
【請求項３】
前記可変バンドについての前記情報は、前記可変バンドの幅または前記可変バンドの少なくとも１つのサブバンドの幅に対応する、請求項１または２に記載の方法。
【請求項４】
前記可変バンドについての前記情報は、前記可変バンドの位置または前記可変バンドの少なくとも１つのサブバンドの位置に対応する、請求項１〜３のいずれか一項に記載の方法。
【請求項５】
前記可変バンドについての前記情報は前記可変バンドを構成するサブバンドの数に対応する、請求項１〜４のいずれか一項に記載の方法。
【請求項６】
前記可変バンドについての前記情報は符号化され、複数の情報成分を形成し、前記複数の情報成分は前記第１、第２、第３、および第４の複数の成分のうちの１つの成分にそれぞれ追加される、請求項２、または請求項２に従属する請求項３〜５のいずれか一項に記載の方法。
【請求項７】
前記複数の情報成分の数は前記第１、第２、第３、および第４の複数の成分のうちの前記１つの成分の数以下である、請求項６に記載の方法。
【請求項８】
前記複数の情報成分の前記数は２のべき乗に等しい、請求項６または７に記載の方法。
【請求項９】
前記複数の情報成分は前記成分のうちの１つ、２つ、または３つのみがある時点でゼロとは異なる符号化から派生する、請求項６〜８のいずれか一項に記載の方法。
【請求項１０】
前記複数の情報成分は前記第１、第２、第３、および第４の複数の成分のうちの１つの成分の最大幅に依存する最大幅を有する、請求項６〜９のいずれか一項に記載の方法。
【請求項１１】
前記複数の情報成分はＰＰＭ技術によって生成される、請求項９または１０に記載の方法。
【請求項１２】
前記可変バンドについての前記情報は伝送されるユーザメッセージに関する前記第１の複数の成分にスーパーインポーズされる、請求項２、または請求項２に従属する請求項３〜１０のいずれか一項に記載の方法。
【請求項１３】
前記可変バンドについての前記情報は伝送されるシグナリングに関する前記第２の複数の成分にスーパーインポーズされる、請求項２、または請求項２に従属する請求項３〜１０のいずれか一項に記載の方法。
【請求項１４】
前記可変バンドについての前記情報は伝送されるパイロットキャリアに関する前記第３の複数の成分にスーパーインポーズされる、請求項２、または請求項２に従属する請求項３〜１０のいずれか一項に記載の方法。
【請求項１５】
前記可変バンドについての前記情報は前記変調信号の前記第４の複数の成分にスーパーインポーズされる、請求項２、または請求項２に従属する請求項３〜１０のいずれか一項に記載の方法。
【請求項１６】
可変バンドのＯＦＤＭ信号を生成するシステムであって、前記ＯＦＤＭ信号の変調信号は伝送されるユーザメッセージに関する第１の複数の成分と、伝送されるシグナリングに関する第２の複数の成分と、伝送されるパイロットキャリアに関する第３の複数の成分とを含み、前記可変バンドについての情報を受信する入力部を有し、前記システムは、
前記第１、第２、および第３の複数の成分を関連付けて、前記変調信号の第４の複数の成分を形成する手段と、
入力部で前記変調信号の前記第４の複数の成分を受信し、前記可変バンドのＯＦＤＭ信号を出力するＯＦＤＭ変調器とを備え、
前記第１、第２、第３、および第４の複数の成分のうちの１つに、前記可変バンドについての前記情報を反復してまたは周期的にスーパーインポーズする手段を含むことを特徴とする、システム。
【請求項１７】
請求項３〜１５のいずれか一項に記載の方法の機能を実装する手段を含む、請求項１６に記載のシステム。
【請求項１８】
受信後に変調済信号を処理する方法であって、前記変調済信号の変調デジタル信号は少なくとも１つの成分を含み、前記方法は、
１つの成分または前記変調信号にスーパーインポーズされたデジタル情報を前記変調デジタル信号から抽出する段階と、
抽出された前記デジタル情報を用いて前記変調済信号のバンドを決定し、前記変調済信号の復調および復号化を完了する段階と
を備える、方法。
【請求項１９】
受信後にＯＦＤＭ信号を処理し、前記ＯＦＤＭ信号の前記変調信号はユーザメッセージに関する第１の複数の成分と、シグナリングに関する第２の複数の成分と、パイロットキャリアに関する第３の複数の成分とを含み、前記第１、第２、および第３の複数の成分は前記変調信号の第４の複数の成分を形成するように関連付けられ、
前記第１、第２、第３、および第４の複数の成分の少なくとも１つにスーパーインポーズされた情報を前記ＯＦＤＭ信号から抽出する段階Ｂと、
抽出された前記情報を用いて前記ＯＦＤＭ信号のバンドを決定し、前記ＯＦＤＭ信号の復調および復号化を完了する段階Ｃと
を備える、請求項１８に記載の方法。
【請求項２０】
前記段階Ｂの前に、
前記ＯＦＤＭ信号が前記第１、第２、第３、および第４の複数の成分のうちの少なくとも１つにスーパーインポーズされた情報を含むかどうかを判断する段階Ａを備える、請求項１９に記載の方法。
【請求項２１】
前記段階Ａはエラー相関演算または復号演算によって実行される、請求項２０に記載の方法。
【請求項２２】
パイロットキャリアに関する前記ＯＦＤＭ信号の予め定められた数の成分を受信し、パイロット情報を抽出する段階と、
相関演算によって、抽出された前記パイロット情報がスーパーインポーズされた情報を含むかどうかを判断する段階と、
抽出された前記パイロット情報からスーパーインポーズされた前記情報を抽出する段階と、
抽出された前記情報を復号化する段階と、
復号化された前記情報を用いて前記ＯＦＤＭ信号のバンドを決定し、前記ＯＦＤＭ信号の復調および復号化を完了する段階と
を備える、請求項１９〜２１のいずれか一項に記載の方法。
【請求項２３】
ユーザメッセージに関する前記ＯＦＤＭ信号の予め定められた数の成分を受信し、ユーザメッセージデータを抽出する段階と、
エラー復号演算によって、抽出された前記ユーザメッセージデータがスーパーインポーズされた情報を含むかどうかを判断する段階と、
抽出された前記ユーザメッセージデータからスーパーインポーズされた前記情報を抽出する段階と、
抽出された前記情報を復号化する段階と、
復号化された前記情報を用いて前記ＯＦＤＭ信号の前記バンドを決定し、前記ＯＦＤＭ信号の復調および復号化を完了する段階と
を備える、請求項１９〜２１のいずれか一項に記載の方法。
【請求項２４】
前記ＯＦＤＭ信号の予め定められた数の、シグナリングおよびシグナリングデータの抽出に関する成分を受信する段階と、
エラー復号演算によって、抽出された前記シグナリングデータがスーパーインポーズされた情報を含むかどうかを判断する段階と、
抽出された前記シグナリングデータからスーパーインポーズされた前記情報を抽出する段階と、
抽出された前記情報を復号化する段階と、
復号化された前記情報を用いて前記ＯＦＤＭ信号の前記バンドを決定し、前記ＯＦＤＭ信号の復調および復号化を完了する段階と
を備える、請求項１９〜２１のいずれか一項に記載の方法。
【請求項２５】
受信後にＯＦＤＭ信号を処理するシステムであって、前記ＯＦＤＭ信号の変調信号はユーザメッセージに関する第１の複数の成分と、シグナリングに関する第２の複数の成分と、パイロットキャリアに関する第３の複数の成分とを含み、前記第１、第２、および第３の複数の成分は前記変調信号の第４の複数の成分を形成するように関連付けられ、前記システムは、
前記第１、第２、第３、および第４の複数の成分のうちの少なくとも１つにスーパーインポーズされた情報を前記ＯＦＤＭ信号から抽出する手段と、
抽出された前記情報を用いて前記ＯＦＤＭ信号のバンドを決定し、前記ＯＦＤＭ信号の復調および復号化を完了する手段と
を備えるシステム。
【請求項２６】
請求項２０〜２４のいずれか一項に記載の方法の機能を実装する手段を含む、請求項２５に記載のシステム。
【発明の詳細な説明】
【技術分野】
【０００１】
本発明は変調済信号を生成する方法およびシステム、ならびに受信後に変調済信号を処理する方法およびシステムに関する。
【０００２】
具体的には、（通信分野の最新技術に基く）本発明はＯＦＤＭ信号に応用されると、特に有用であり、この理由ゆえに以下の説明は、専らそのような用途のみに言及するが、しかし、このことは要素を限定するものとみなされるべきではない。
【背景技術】
【０００３】
ＯＦＤＭ（直交周波数分割多重）技術は、多年に渡り通信分野では知られており、この技術によれば、情報は、複数の周波数が隣接するチャネルを変調することによって送信機から受信機に転送され（単一の周波数バンドを形成する）、当業者はこれを「サブキャリア」と呼ぶ。
【０００４】
近年、隣接しないサブキャリアによってＯＦＤＭ技術を実装し、互いに多少離れた少なくとも２つのサブバンドを形成することが考えられている。この方法で、２つのサブバンド間の周波数は他の通信に使用することができ、そのような実装形態は、「非連続的ＯＦＤＭ技術」（ＮＣ−ＯＦＤＭ）という名称の下でグループ化することができる。
【０００５】
大抵の（論理的および実際的）場合に、これらの技術は、１つの固定バンドを使用することによって（ＯＦＤＭ技術の最も従来の実装形態の場合）、または複数の固定バンド（ＯＦＤＭ技術の「非連続的」実装形態において）によって実装される。
【０００６】
ＮＣ−ＯＦＤＭ技術と異なり、ＷＯ特許第２００８／０８９４０２号は、ＩＥＥＥ８０２．１１規格群に関連し、動的なバンド割当を使用するＯＦＤＭ技術に基づく解決法を記載する。この解決法によれば、送信機は、受信機がＯＦＤＭ信号を正確に受信するように、受信機にアプリオリには知られていない可変バンドを含む当該ＯＦＤＭ信号を生成し、伝送中の送信機によるチャネルの利用を合図する追加の磁界は、ＩＥＥＥ８０２．１１プロトコルの物理レイヤープロトコルデータユニット（ＰＰＤＵ）コンテナの物理レイヤーコンバージャンスプロトコル（ＰＬＣＰ）ヘッダーに追加され、４８個のサブキャリアが利用可能であれば、サブキャリアのそれぞれについて、使用中かどうかを合図し、その変調スキームに従って変調する。
【発明の概要】
【０００７】
そのような解決法は、上述の規格に対する修正を必要とし、下位互換性ではない。つまり、そのような修正が実装されると、ＰＬＣＰヘッダーを復号化できないため、現在の規格に従って動作するのに好適な受信機はもはや機能しない。従って、この解決法は、そのようなプロトコルを現在実装しているものとは異なる周波数の範囲内で実装するべきである。
【０００８】
本発明は「非連続的オンデマンドＯＦＤＭ（ＮＣＯＤ−ＯＦＤＭ）」と呼ばれ、従来技術の限界を克服するという一般的な目的を有する。
【０００９】
この目的および他の目的は、添付の特許請求の範囲に記載される特徴を有する方法およびシステムによって成就され、この方法およびシステムは本明細書の一体部分として意図されている。
【００１０】
本発明の根本における考え方は、変調済信号、具体的にはＯＦＤＭ信号の成分に変調済信号、具体的にはＯＦＤＭ信号によって占有されたバンドについての情報をスーパーインポーズ（追加するのではない）することである。ＮＣ−ＯＦＤＭ信号の場合、そのような情報は、当該信号のバンドを構成する様々なサブバンドを参照する。
【００１１】
このようにして、信号によって占有されたバンドは変更することができる。そのような変更は適応型のものであってもよい。すなわち、送信機は、例えば動作条件および／またはユーザ要求の関数としてバンドを変更することができる。受信機はバンドの変更に自動的に適応することができる。通常、そのような変更は比較的緩慢であり、具体的には、ＯＦＤＭ信号のバンドは通信の開始時に決定される。特定の必要事項または要求がない場合には、予め定められた規格値を有するであろう。
【００１２】
知られるように、ＯＦＤＭ信号は、ユーザメッセージに関する第１の複数の成分（Ｃ）と、シグナリングに関する第２の複数の成分（Ｓ）と、パイロットキャリアに関する第３の複数の成分（Ｐ）とからなるものとしてみなすことができ、当該第１、第２、および第３の複数の成分（Ｃ、Ｓ、Ｐ）は、変調信号の第４の複数の成分（Ｘ）を形成するように関連つけられる。
【００１３】
ＯＦＤＭ信号によって占有されたバンドについての情報は、当該第１、第２、第３、および第４の複数の成分のうちの少なくとも１つに反復してまたは周期的にスーパーインポーズされる。
【００１４】
このように変更されたＯＦＤＭ信号を標準的受信機（すなわち従来技術による）が受信する場合、スーパーインポーズされた情報は、「障害」または「ノイズ」のように扱い、その後、受信機はノイズが存在しても動作し得るべく適切な処置を取らなければならない。  従って、本発明によるＯＦＤＭを標準的受信機が受信するとき、スーパーインポーズされたバンド情報によって引き起こされた過剰な「障害」または「ノイズ」が存在しないことを確実にしなければばらない。
【００１５】
そのように変更されたＯＦＤＭ信号を本発明による受信機が受信するとき、受信機は、スーパーインポーズされた「ノイズ」とスーパーインポーズされた「情報」とを区別することができ、従ってそのような情報を抽出および使用して、ＯＦＤＭ信号のバンドを決定し、その復調および復号化を完了させることができる。
【００１６】
一般に、本発明による可変バンドの変調済信号を生成する方法は、当該変調済信号の変調デジタル信号に少なくとも１つの成分を含むことを要求し、当該可変バンドに関するデジタル情報が当該少なくとも１つの成分または当該変調信号に反復してまたは周期的にスーパーインポーズされることを特徴とする。
【００１７】
当該バンドは、緩慢にまたは迅速に変更することができる。
【００１８】
可変性は、バンド幅および／または位置、ならびに／若しくはセグメント化に関係することがあり、異なるサブバンドで異なる変調を用いることが考えられ得るであろう。
【００１９】
具体的には、可変バンドのＯＦＤＭ信号を生成する方法を用いる場合、当該ＯＦＤＭ信号の変調信号は、伝送するユーザメッセージ（データ形式）に関する第１の複数の成分と、伝送するシグナリング（データ形式）に関する第２の複数の成分と、伝送するパイロットキャリアに関する第３の複数の成分とを含み、当該第１、第２、および第３の複数の成分は、変調信号の第４の複数の成分を形成する等の態様で関連付けられる。当該可変バンドについての情報は、当該第１、第２、第３、および第４の複数の成分のうちの少なくとも１つに反復してまたは周期的にスーパーインポーズされる。
【００２０】
当該可変バンドについての当該情報は、当該可変バンド、または当該可変バンドの少なくとも１つのサブバンドの幅に対応することができる。
【００２１】
当該可変バンドについての当該情報は、当該可変バンド、または当該可変バンドの少なくとも１つのサブバンドの位置に対応することができる。
【００２２】
当該可変バンドについての当該情報は、当該可変バンドを構成するいくつかのサブバンドに対応することができる。
【００２３】
当該可変バンドについての当該情報は、符号化して複数の情報成分を形成することができる。そのような場合、当該情報成分は、当該第１、第２、第３、および第４の複数の成分のうちの１つの成分にそれぞれ追加される。
【００２４】
当該情報成分の数は、当該第１、第２、第３、および第４の複数の成分のうちの１つの成分の数よりも小さいか、または等しいことがある。
【００２５】
有利なことに、当該情報成分は、２のべき乗に等しい数である。
【００２６】
有利なことに、当該情報成分は符号化に由来し、符号化によって、当該成分の１つ、２つ、または３つ（すなわち小さい数）のみがある時点でゼロとは異なる。
【００２７】
有利なことに、当該情報成分は、当該第１、第２、第３、および第４の複数の成分のうちの１つの成分の最大幅に依存する最大幅を有する。
【００２８】
有利なことに、当該情報成分はＰＰＭ技術によって生成される。
【００２９】
当該可変バンドについての当該情報は、伝送するユーザメッセージに関する当該第１の複数の成分にスーパーインポーズすることができる。
【００３０】
当該可変バンドについての当該情報は、伝送するシグナリングに関する当該第２の複数の成分にスーパーインポーズすることができる。
【００３１】
当該可変バンドについての当該情報は、伝送するパイロットキャリアに関する当該第３の複数の成分にスーパーインポーズすることができる。
【００３２】
当該可変バンドについての当該情報は、変調信号の当該第４の複数の成分にスーパーインポーズすることができる。
【００３３】
本発明の一態様は上記の方法に密接に関係し、変調済信号を生成するシステムである。
【００３４】
一般に、可変バンドのＯＦＤＭ信号を生成するそのようなシステムは、  変調信号の第４の複数の成分を形成する等の方法で当該第１、第２、および第３の複数の成分を関連付ける手段と、  入力部で変調信号の当該第４の複数の成分を受信して、当該可変バンドのＯＦＤＭ信号を出力するＯＦＤＭ変調器とを備える。  また、システムは、当該第１、第２、第３、および第４の複数の成分のうちの１つに当該可変バンドについての当該情報を反復してまたは周期的にスーパーインポーズする手段を含むことができる。
【００３５】
本発明の一態様は、上記の方法のデュアルであり、変調済信号を受信した後に処理する方法である。
【００３６】
一般に、そのような方法は、変調済信号の変調デジタル信号に少なくとも１つの成分を含むことを要求し、  当該変調済デジタル信号から、１つの成分または当該変調信号にスーパーインポーズされたデジタル情報を抽出する段階と、  当該抽出デジタル情報を用いて当該変調済信号の可変バンドを決定し、当該変調済信号の復調および復号化を完了させる段階とを含む。
【００３７】
具体的には、ＯＦＤＭ信号（ユーザメッセージに関する第１の複数成分、シグナリングに関する第２の複数の成分、およびパイロットキャリアに関する第３の複数の成分を含み、第４の複数の成分を形成する等の方法で関連付けられる）を処理する方法を使用するとき、本方法は、  Ｂ）スーパーインポーズされた情報を当該ＯＦＤＭ信号から、当該第１、第２、第３、および第４の複数の成分のうちの少なくとも１つに抽出する段階と、  Ｃ）当該抽出情報を用いて当該ＯＦＤＭ信号の可変バンドを決定し、当該ＯＦＤＭ信号の復調および復号化を完了させる段階とを含む。
【００３８】
有利なことに、本方法は、当該段階Ｂの前に、  Ａ）当該ＯＦＤＭ信号が当該第１、第２、第３、および第４の複数の成分のうちの少なくとも１つにスーパーインポーズされた情報を含むかどうかを判断する段階を含み得る。
【００３９】
段階ＡおよびＢは、単一の処理段階に統合し得ることを指摘しなければならない。
【００４０】
当該段階Ａは、相関演算またはエラー復号演算によって実行することができる。
【００４１】
どの成分がスーパーインポーズされたかに応じて、以下の３つの場合が生じ得る。
【００４２】
第１の場合に、方法は、  パイロットキャリアに関連し、パイロット情報を抽出する当該ＯＦＤＭ信号の予め定められた数の成分を受信する段階と、  相関演算によって、当該抽出パイロット情報がスーパーインポーズされた情報を含むかどうかを判断する段階と、  （特に相関演算によって）当該抽出されたパイロット情報からの当該スーパーインポーズされた情報を抽出する段階と、  当該抽出情報を復号化する段階と、  当該復号情報を用いて当該ＯＦＤＭ信号のバンドを決定し、当該ＯＦＤＭ信号の復調および復号化を完了させる段階とを備え得る。
【００４３】
第２の場合に、本方法は、  ユーザメッセージに関する当該ＯＦＤＭ信号の予め定められた数の成分を受信して、ユーザメッセージデータを抽出する段階と、  エラー復号演算によって、抽出された当該ユーザメッセージデータがスーパーインポーズされた情報を含むかどうかを判断する段階と、  抽出された当該ユーザメッセージデータから（具体的にはエラー検出および識別演算によって）当該スーパーインポーズされた情報を抽出する段階と、  抽出された当該情報を復号化する段階と、  復号化された当該情報を用いて当該ＯＦＤＭ信号の可変バンドを決定して、当該ＯＦＤＭ信号の復調および復号化を完了させる段階とを備え得る。
【００４４】
第３の場合に、本方法は、  シグナリングに関する当該ＯＦＤＭ信号の予め定められた数の成分を受信して、シグナリングデータを抽出する段階と、  エラー復号演算によって、抽出された当該シグナリングデータがスーパーインポーズされた情報を含むかどうか判断する段階と、  当該抽出シグナリングデータから（具体的にはエラー検出および識別演算によって）スーパーインポーズされた当該情報を抽出する段階と、  抽出された当該情報を復号化する段階と、  復号化された当該情報を用いて当該ＯＦＤＭ信号のバンドを決定して、当該ＯＦＤＭ信号の復調および復号化を完了させる段階とを備え得る。
【００４５】
本発明の一態様は、上記の方法に密接に関係し、変調済信号を処理するシステムである。一般に、ＯＦＤＭ信号を受信後に処理するそのようなシステムは、  当該ＯＦＤＭ信号から、当該第１、第２、第３、および第４の複数の成分のうちの少なくとも１つにスーパーインポーズされた情報（ｒ）を抽出する手段と、  抽出された当該情報を用いて当該ＯＦＤＭ信号のバンドを決定し、当該ＯＦＤＭ信号の復調および復号化を完了させる手段とを含む。
【００４６】
本発明の技術的特徴および利点は、添付の図面を参照する以下の説明からより明らかになるであろう。
【図面の簡単な説明】
【００４７】
【図１】物理レイヤーにおける、既知のＯＦＤＭシステムの伝送側のブロック図を示す。
【図２】物理レイヤーにおける、本発明によるＯＦＤＭシステムの伝送側のブロック図を示す。
【図３】物理レイヤーにおける、既知のＯＦＤＭシステムの受信側のブロック図を示す。
【図４】物理レイヤーにおける、本発明によるＯＦＤＭシステムの受信側のブロック図を示す。
【発明を実施するための形態】
【００４８】
本明細書および当該図面は双方とも説明上の、従って非限定的目的のためのものとみなされるものである。  更に、当該図面が概略的で単純化されており、従って本発明を他の種々の実施形態においても実装することができることを考慮すべきである。
【００４９】
本発明の目的のために、既知のＯＦＤＭシステムは、図１に示すように、物理レイヤーおよび伝送側において概略化されることがある。伝送されるユーザメッセージ、すなわち「アプリケーション情報」（例えばオーディオ信号またはビデオ信号、若しくはオーディオ‐ビデオ信号）は、デジタル形式、すなわちデジタル化サンプル値の系列に変換される。当該系列は、一定長さＫのブロックに分割され（それによってベクトルの系列を形成する）、このブロックは図１に参照Ｂにより示される。ブロックＢはエンコーダーＣＯＤに入力されて、エンコーダーＣＯＤは「チャネル符号化」を行い、従って「チャネル」、すなわち送信機から受信機への経路に沿って導入され得る任意のノイズまたは他の障害からこれらの伝送されるべきデータを保護する。エンコーダーＣＯＤは、一定長さＮのブロック（またはベクトル）Ｃの系列を出力する。ユーザメッセージとともに、伝送パラメータ、例えばユーザメッセージの符号化モードを指定する他の情報も伝送され、この情報は「シグナリング」と呼ばれ、本文書においては「一次的シグナリング」と称する。この情報は、ほぼ符号化されて一定長さのブロックに分割され（それによってベクトルの系列を形成する）、このブロックは、図１に参照Ｓにより示される（図１がブロックＳを生成するエンコーダーを示さないことに注意されたい）。「シグナリング」は予め定義されたフォーマットを有し、従って受信機は、いずれの更なる情報も必要とせずに復号化することができる。最後に、ユーザメッセージおよびシグナリングとともに、（予め決定され、送信機および受信機の双方に知られる）バイナリ系列も伝送され、適切に選ぶならば、具体的には、受信機が「チャネル」の特性を決定する（またはより正確には推定する）ことを可能にする。この系列は「パイロット系列」と呼ばれ、一定長さのブロックに分割され（それによってベクトルの系列を形成する）、このブロックは図１に参照Ｐにより示される。ブロックＰを伝送するために、「パイロットキャリア」と呼ばれる特別な周波数が用いられる（「パイロットキャリア」を用いることは、継続的であれ非連続的であれ、当業者に知られている）。ブロックＣ、Ｓ、Ｐのデータはともにに関連付けられ、図１の参照ＭＵＸが示すマルチプレクサーによって集約ブロック（つまりベクトル）Ｘを形成する。ブロックＸは、図１の参照ＭＯＤが示すＯＦＤＭ変調器に入力される。ＭＯＤ変調器は図１の参照ｘが示すＯＦＤＭ信号を出力し、１つのアンテナまたは複数のアンテナによって照射される。
【００５０】
パラメータＫとパラメータＮとの間の比率は「符号化レート」と呼ばれ、シンボルＲＣ＝Ｋ／Ｎを用いて言及することを指摘しておかなければならない。ＯＦＤＭシステムにおいて、通常はいくつかの符号化レートを使用し、これは、種々のエラー訂正能力および種々の伝送速度に対応し、システムは、伝送するチャネルの瞬時の状態に基づいて符号化レートを選び、使用することができる。また、送信機は、「一次的シグナリング」を使用して受信機に通信し、受信機の符号化レートはユーザメッセージを符号化する瞬間に使用し、受信機の変調型は伝送の瞬間に使用する。
【００５１】
入力部で、変調器ＭＯＤは、シンボルベクトル「Ｘ」の各１つについて（実物または複合の）サンプル「ｘ」の系列を生成する。通常、この生成段階は離散フーリエ変換（ＩＤＦＴ）またはその最適化バージョン、すなわち以下の高速フーリエ変換（ＩＦＦＴ）を計算することによって実行され、
【数１】
2014532370.tif 000003
式中、ｘ＝（ｘ１，...，ｘＱ）は変調器ＭＯ出力時のサンプルの汎用系列であり、ＱはＯＦＤＭ信号において利用可能なサブキャリアの数であり、Ｘ＝（Ｘ１，...，ＸＱ）は変調器ＭＯに入力された汎用シンボルベクトルである。各シンボルは、データＣ、Ｓ、Ｐ、従ってユーザメッセージ「シグナリング」および「パイロット系列」についての（符合化された）情報の一部を転送する。
【００５２】
データＢ（まだ符号化されていない）が本明細書に記載される物理レイヤーから「上方レイヤー」に流れ、通常、そのようなデータは「アプリケーションレイヤー」、すなわち「ユーザアプリケーション」から送られることを想起されたい。
【００５３】
通常、チャネル符号化は、接続の質を改善するためにエラー検出および補正技術を使用することを必要とする。チャネル符号化は、受信された系列に存在する任意のエラーを受信側が検出および修正（或いは少なくとも修正することを試みる）することを可能にするために、冗長自由度データを情報ストリームに追加する。
【００５４】
パイロット系列は通常、常数であり、予め決定され、送信機および受信機の双方に知られているシンボルベクトルＰからなる。受信機がチャネルの物理的パラメータを推定し、同期化動作を容易にすることを可能にするために、パイロット系列は伝送中に入力される。
【００５５】
受信機内で、パイロットキャリアから受信されたシンボルは、（予め定められたシンボルであるため、受信機に知られた）それぞれの伝送されたシンボルと比較し、チャネル係数（チャネルを特徴付ける）は、次式によって推定される。
【数２】
2014532370.tif 000004
【００５６】
式中、（数３）
2014532370.tif 000005
は、伝送されてＯＦＤＭパイロットキャリア「ｋ，ｎ」と関連付けられた汎用パイロットシンボルであり、（数４）
2014532370.tif 000006
は受信されて第ｎ番目のＯＦＤＭシンボルの第ｋ番目のチャネルと関連付けられた対応するパイロットシンボルであり、セル（ｋ，ｎ）とも呼ばれる。これは、（数５）
2014532370.tif 000007
と（数６）
2014532370.tif 000008
との間の差異は伝搬チャネルだけでなく、ノイズおよび／または他の障害にもよる場合があるので、チャネル係数の推定に過ぎないことを指摘しなければならない。
【００５７】
チャネル係数の計算は、パイロットシンボルを転送するＯＦＤＭ信号のサブキャリアについて、上記の式を用いることによって反復することができる。従来技術によれば、この計算は、パイロットシンボルを転送する全てのＯＦＤＭ信号のサブキャリアについて、すなわち全てのパイロットサブキャリアについて反復される。
【００５８】
ＯＦＤＭ信号の残余のサブキャリアについては、チャネル係数（数７）
2014532370.tif 000009
は、パイロットサブキャリアで直接に実行された推定に基づいて、補間技術を通常は用いて間接的に推定される。特に、近い周波数および／または近いタイミングで実行された直接的推定に基づくこれらの間接的推定を計算することは有利である。実際には、ある周波数バンドに関するチャネル係数は、時間を経て非常に緩慢に変化し、近接する、または近い周波数バンドに関するチャネル係数とわずかにのみ異なる。
【００５９】
以下でより明らかになるように、ＯＦＤＭ信号のパイロット系列が予め決定され、常数であることが好ましく、チャネル係数が時間および周波数において緩慢に変化するという事実は、本発明の好ましい実施形態により、「補助的シグナリング」または「二次的シグナリング」を転送するパイロットキャリアを用いることを可能にする。
【００６０】
シグナリングは、シンボルベクトルＳからなり、パラメータが伝送に使用した受信機に通信する目的のために、伝送中に入力される。この情報は予め定義されたフォーマットを使用することによって伝送され、従って受信機はいずれの更なる情報を必要とせずに情報を復号化することができる。また、この情報は、大きく低下した伝搬および受信状態でも復号化することができるように符号化することが好ましい。例えば、ＤＶＢ−Ｔ規格において、シグナリング情報（伝送パラメータシグナリング、つまりＴＰＳ）は、より容易かつ受信可能となるべく数十のサブキャリアで反復される。また、シグナリング情報は、ベクトルＳを生成すべくＢＣＨ符号を伴うチャネル符号化によって符号化される。
【００６１】
以下でより明らかになるように、「一次的シグナリング」が伝送される冗長自由度は、ＯＦＤＭ信号のこの成分を使用することにより、本発明の一実施形態による「補助的シグナリング」または「二次的シグナリング」を転送することを可能にする。
【００６２】
上述のように、ユーザメッセージに関するデータＢは、伝送前に、エラー検出および補正技術によって符号化される。換言すれば、冗長自由度データはデータＣを生成すべく追加される。
【００６３】
以下でより明らかになるように、成分Ｃの冗長自由度は、ＯＦＤＭ信号のこの成分を使用することにより、本発明の一実施形態による「補助的シグナリング」または「二次的シグナリング」を転送することを可能にする。
【００６４】
上記から、成分Ｃ、Ｓ、Ｐの集約から生じる成分Ｘも多くの冗長自由度を含み、成分Ｘのこの冗長自由度がＯＦＤＭ信号のこの成分を使用することにより、本発明の一実施形態による「補助的シグナリング」または「二次的シグナリング」を転送することを可能にすることが理解され得る。
【００６５】
本発明は、ＯＦＤＭ信号のバンドが予め定義されるではなく、変更可能である（緩慢であれ、または迅速であれ）場合を考慮し、従って受信機にはアプリオリに知られていない。そのような変更可能性は、例えば、バンド幅および／またはサブバンド数に関係することがある。
【００６６】
そのような場合に、「補助的シグナリング」または「二次的シグナリング」は、送信機から受信機に、ＯＦＤＭ信号のバンドについての情報を転送することを処理する。
【００６７】
これを行うために、本発明は、（補助的シグナリングまたは二次的シグナリングを特定の成分中に追加するのではなく）当該「補助的シグナリング」または「二次的シグナリング」をＯＦＤＭ信号にスーパーインポーズすることを提案する。転送される情報量および転送速度は、本発明の実際の具体的実装形態に依存する。
【００６８】
先に想起されたように、種々の成分、すなわち、ユーザメッセージに関する第１の複数の成分Ｃ、シグナリング（「一次的シグナリング」）に関する第２の複数の成分Ｓ、パイロットキャリアに関する第３の複数の成分Ｐは、ＯＦＤＭ信号に関連付けられる。前者３つの集約から生じる第４の複数の成分Ｘも存在する。
【００６９】
本発明は、「補助的シグナリング」または「二次的シグナリング」をこれらの成分のうちの少なくとも１つにスーパーインポーズすることによって実装することができる。通常、当該スーパーインポーズは、これらのうちの１つでのみ行う。スーパーインポーズは、「補助的シグナリング」または「二次的シグナリング」を符号化するベクトルＲの系列を予め配置し、ベクトルＣ、Ｓ、Ｐ、Ｘの系列のうちの少なくとも１つを足してベクトル和を求めることによって行う。
【００７０】
図２は、スーパーインポーズを「パイロット系列」のベクトルで行う場合を示す。ベクトルＲは、ベクトル的にベクトルＰに足し、結果として、ベクトルＰ'、すなわち修正されたベクトルＰを得る。その後、ベクトルＰを図３のシステムにおいて使用したときに、ベクトルＰ'を図４のシステムにおいて使用する。結果として、マルチプレクサーＭＵＸの出力部に図１のベクトルＸと異なるベクトルＸ'が生じ、変調器ＭＯＤの出力部に図１信号ｘと異なる信号ｘ'が生じる。
【００７１】
ベクトルＰおよびベクトルＲは、概念上同一の長さを有することを指摘しておかねばならない。本発明の具体的な実装形態によれば、ベクトルＲのある数の要素（例えば最後の１０）が常にゼロであるか、またはベクトルＲのある数の要素（例えば第１の１０）のみが有意であると選択してもよい。実際には、これは、理論的に利用可能なもの全てではなく、いくつかのパイロットキャリアのみを「補助的シグナリング」または「二次的シグナリング」を伝送ために用いることを意味する。
【００７２】
標準的ＯＦＤＭ信号受信機（例えば、本発明を実装しないもの）が図２の信号ｘ'を受信する場合、ベクトルＰ'を抽出し、その要素を用いてチャネル係数の推定を行う。標準的受信機がいずれの二次的シグナリングも存在しないときに受信するベクトルＰと、実際に受信されたものであるベクトルＰ'との間の差異に対応するエラーベクトルＥを定義することができる。当該エラーは、ユーザメッセージおよび「一次的シグナリング」について用いられる様々なサブキャリアに関して、チャネル係数の推定エラーを引き起こす。
【００７３】
ベクトルＥの成分（事実上、ベクトルＲに対応する）は、平均すると小さいはずである。より詳細に以下に説明する１つの選択肢は、ベクトルＥ（従ってベクトルＲの）の１つのみまたは極めて少ない成分がゼロとは異なり小さいということである。そのような場合に、極めて少ないサブキャリアのチャネル係数のみが推定エラーによって影響される。
【００７４】
チャネル係数の推定エラーは、ベクトルＸの推定エラー、従ってベクトルＣの推定エラーも引き起こす。しかし、そのようなエラーが少しである場合（すなわち使用中のチャネル符号の訂正能力より少ない）、チャネル符号化のために受信機はエラーを特定して修正することができる。
【００７５】
図２の解決法は、例えば、パルス位置変調（ＰＰＭ）を介してベクトルＲを生成することによって実装することができる。この変調は、ベクトルＲの１つのゼロでない要素のみを必要とする。更に、ベクトルＲの要素は、例えば、１ビットのみからなってもよい。換言すれば、ベクトルＲが６４の長さ、すなわち６４個の要素を含むとき、６４個の異なるシンボル、すなわち６ビットのバイナリワードを符号化することができる。シグナリングが、例えば、１０２４個の情報ビットを必要とするとき、完全なシグナリングの伝送は、１０２４／６４＝１６ベクトルＲに続く伝送を必要とする。この場合に、ベクトルＥは、１つのゼロでない要素（すなわち１ビットであり、その論理値は「１」である）のみを含み、従って標準的受信機は、ベクトルＲのスーパーインポーズにも拘わらず問題なく動作することができる可能性が極めて高い。
【００７６】
ベクトルＲはゼロでない要素に基づくのみならず、ベクトルＲがスーパーインポーズされるベクトル要素の幅に関連する要素幅（上記の場合のベクトルＰ）にも基づいて考慮しなければならないことを指摘しなければならない。
【００７７】
他のベクトルＣ、Ｓ、およびＸに関する限り、ベクトルＲのスーパーインポーズおよび生成は、ベクトルＰを参照して先に説明したものと全く類似の方法で行うことができる。
【００７８】
全ての場合に、１つの重要な態様は、受信機がベクトルＲを任意のノイズおよび／または他の障害と区別し得ることである。以下でより詳細に説明するように、そのような区別をし、従ってベクトルＲを推定および抽出する可能性は、成分Ｃ、Ｓ、Ｐ、従ってＸが伝送される冗長自由度に大きく依存する。具体的には、成分Ｐについては、当該可能性は、ＯＦＤＭ信号のパイロット系列が予め定められ、常数であることが好ましく、チャネル係数が時間および周波数において緩慢に変化するという事実にも関係する。具体的には、成分Ｃおよび成分Ｓについては、当該可能性は、成分Ｃおよび成分Ｓが符号化する動作からそれぞれのデータを派生させ、この動作がエラー検出およびエラー訂正を可能にするように実行されるという事実に関係する（プロジェクトにおいて定義されたいくつかの制限内で）。
【００７９】
ＤＶＢ−Ｔ規格の場合に、例えば、数十のサブキャリアは、「一次的シグナリング」、すなわちベクトルＳのデータ向けである。従って、小さい数のサブキャリアを変更すると、受信信号の無視できる質の低下を引き起こす。更に「一次的シグナリング」の情報は、いずれのエラーも訂正することを可能にするべくＦＥＣ（前方誤り訂正）技術によって符号化される。
【００８０】
ＤＶＢ−Ｔ規格の場合をなおも参照すると、例えば、ユーザメッセージのデータ、すなわちベクトルＢのデータは、パラメータ（Ｎ，Ｋ，ｍ）＝（２５５，２３９，８）を有するリードソロモン符号を短縮することによって得られた１つの外部符号からなる連接符号化スキームを使用することによって、符号化され、ベクトルＣのデータを形成する。当該符号は、１／２の比率および７の拘束長を有するバイナリたたみ込み符号を伴うたたみ込みインターリーバーによって連接される。その後、たたみ込みエンコーダーの出力部は穿刺され、種々の量の冗長自由度、従って種々の比率および対応する訂正能力を得る。符号化およびその後の穿刺から生じる世界的比率は、１／２〜７／８の範囲である。換言すれば、ベクトルＣのデータは、多くの冗長自由度を含む。
【００８１】
ベクトルＸのデータの冗長自由度は、集約されたベクトルＣ、Ｓ、およびＰの冗長自由度に依存する。
【００８２】
上の説明は、ラジオ‐テレビ放送システム（例えばＤＶＢ−Ｔ）、無線ＬＡＮシステム（例えば、ＩＥＥＥ８０２．１１規格に準拠する大抵のシステム）、およびセル方式構造（例えばＬＴＥおよびＬＴＥ−Ａｄｖａｎｃｅｄ）を有する無線データ接続システムを含む、全てのＯＦＤＭシステムに適用可能である。
【００８３】
同一のＯＦＤＭ信号構造（一次的シグナリングおよびパイロットシンボルの存在）を特徴とするが、上述のシステムは、若干の態様、すなわちサブキャリアの数、サブキャリア用に採用された変調スキーム、パイロットシンボルの数、位置、および変調、一次的シグナリング向けサブキャリアの数、位置、および変調において異なる。
【００８４】
種々の特性を有し、上述のシステムは、パイロットシンボル、シグナリングシンボル、およびデータの変更に幾分敏感である。従って、スーパーインポーズすべきものの具体的選択、および場所、ならびに方法もこれらの態様に依存することがある。例えばＩＥＥＥ８０２．１１伝送において、若干のパイロットキャリアが存在するのみであり、「補助的シグナリング」のスーパーインポーズに使用するのは困難であり、一方でＤＶＢ−Ｔ伝送において多くのパイロットキャリアが存在し、「補助的シグナリング」のスーパーインポーズに容易に使用することができる。
【００８５】
本明細書に説明されるすべての技術は、物理レイヤーにおいて全体として下位互換性である（すなわち、純粋な伝送技術に関する）。実際には、追加の信号（すなわち「補助的シグナリング」）の「スーパーインポーズ」は標準信号で行うため、標準信号の構造の修正とは異なり、標準的受信機は信号をやはり受信することができる。更に、下げられた信号対ノイズ比率で動作するので（信号対ノイズ比率は、本発明の具体的実装形態に応じて、アプリケーション情報、一次的シグナリング、またはパイロットキャリアを参照するパラメータとして理解されたい）、性能は低下するが、「適切なスーパーインポーズ」を使用するため、標準的受信機は信号を適宜に受信することができる。
【００８６】
また、本明細書で説明する全ての技術は、適切に使用するならば、アプリケーションレイヤーにおいて下位互換性になり得る。実際には、例えば、本発明は２Ｄのビデオ成分に分解された３Ｄのビデオコンテンツ（３Ｄのビデオコンテンツの２Ｄバージョン）および追加のビデオ成分を伝送するために使用することができる。２Ｄのビデオ成分については、第１の周波数サブバンドを使用して、従来の方法で伝送し（「補助的シグナリング」がそこでスーパーインポーズされた事実を除き）、従って標準的受信機は２Ｄのビデオ成分を受信して復号化し、ユーザに提示することができる。追加のビデオ成分については、第２のサブバンドを使用する。改良された受信機（すなわち３Ｄの受信機）は、第１のサブバンドで伝送された信号を受信し、２Ｄのビデオ成分ならびに「補助的シグナリング」を取り出すことができる。取り出された「補助的シグナリング」に基づいて、改良された受信機は、第２のサブバンド（例えば下側および上側の端部）、ならびに、例えば本明細書で利用される符号化および変調スキームの特性を決定し、その後、追加のビデオ成分を取り出して３Ｄのビデオコンテンツをユーザに提示することができる。
【００８７】
換言すれば、下位互換性をアプリケーションレイヤーにおいても確実にするために、少なくとも２つの別個の部分および別個の周波数サブバンド、すなわち「補助的シグナリング」のスーパーインポーズ以外の第１の標準的部分と、スーパーインポーズされた「補助的シグナリング」を含まない第２の「非標準的」部分とに分解されたものとして変調済信号を扱うことが必要である。また、いくつかの動作条件において、サブバンドは隣接することがある。
【００８８】
ここまで、伝送側に関して本発明を説明してきたが、本発明は、受信側も提供する。
【００８９】
本発明では、既知のＯＦＤＭシステムは、図３に示すように受信側の物理レイヤーで図式化することが可能であり、このダイアグラムは図１に示すものとデュアルである。
【００９０】
図３の信号ｘ''は信号ｘが伝播された「チャネル」のため、伝播中に信号ｘにスーパーインポーズされた任意のノイズおよび他の障害についての変換を除き、図１の信号ｘに等しい。
【００９１】
図３のベクトルＢ''、Ｃ''、Ｓ''、Ｐ''、Ｘ''はチャネル、ノイズ、および他の障害における伝播による修正を除き、図１のベクトルＢ、Ｃ、Ｓ、Ｐ、Ｘにそれぞれ等しい。
【００９２】
図３の復調器ＤＥＭＯＤ、デマルチプレクサＤＥＭＵＸ、およびデコーダＤＥＣＯＤブロックは（逆関数で）図１の変調器ＭＯＤ、マルチプレクサーＭＵＸ、およびエンコーダーＣＯＤブロックにそれぞれ対応する。
【００９３】
本発明による受信機は、ＯＦＤＭ信号を受信後に処理するために用いる方法については、既知のＯＦＤＭ信号受信機とは本質的に異なる。当該方法は、  信号自体のバンドに関して、成分Ｃ、Ｓ、Ｐ、Ｘのうちの少なくとも１つにスーパーインポーズされたＯＦＤＭ信号から情報（図４の基準値Ｒ）を抽出する段階と、その後、  抽出情報（図４の基準値Ｒ）を用いてＯＦＤＭ信号のバンドを決定し、ＯＦＤＭ信号の復調および復号化を完了する段階と、を提供する。
【００９４】
当該２つの動作は、本発明による受信機のダイアグラム、より詳細には受信機が受信した信号を処理する区間での一致を発見する。
【００９５】
図４のダイアグラムは図３のダイアグラムに対応し、ＯＦＤＭ信号のバンドについての情報がベクトルＰ、すなわちパイロットキャリアにより転送された「パイロット系列」にスーパーインポーズされる場合、上記の使用を実装するいくつかの修正を含む。
【００９６】
図４に示すように、受信信号ｘ''から得られたベクトルＰ'''は（伝搬チャネル、ノイズ、および他の障害によって引き起こされる修正を除き、図２のベクトルＰ'に等しい）は、信号ｘ''のバンド情報に対応するベクトルＲを抽出するべくブロックＲＥＸＴによって処理され、その後、ベクトルＲはベクトルＰ'''から減算され、ベクトルＰ''（伝搬チャネル、ノイズ、および他の障害により引き起こされた修正を除き、図２のベクトルＰに等しい）を得る。ベクトルＲの系列を復号化することによって得られた信号ＦＢはデマルチプレクサＤＥＭＵＸおよび／または復調器ＤＥＭＯＤに供給され、ＯＦＤＭ信号の復調の完了、すなわちＯＦＤＭ信号の実際およびフルバンドを考慮してＯＦＤＭ信号を完全に復調する。
【００９７】
図１および図２を参照して上述したように、図３および図４は、ＯＦＤＭ信号のシグナリングに関して成分Ｓでの復号化ブロック動作を示さないことに留意されたい。
【００９８】
「補助的シグナリング」がパイロットキャリアに関して成分Ｐにスーパーインポーズされる場合に、以下の検討材料があてはまるであろう（図３および図４を参照）。
【００９９】
各ＯＦＤＭシンボルについて、若干のパイロットセルのみをスーパーインポーズにより変更する必要がある。
【０１００】
標準的受信機は変更したセルで誤ったチャネル推定を計算する。当該推定エラーは、チャネルデコーダＤＥＣＯＤの被復調信号アップストリームにおけるエラーバーストの存在に等しい。当該エラーバーストは、信号対ノイズの比が十分に高い場合に、デコーダにより検出し、また訂正することができる。これは、符号化および伝送段階で、好適なエラー訂正符号（例えばリードソロモン符号等）および／または好適なインターリーバーを使用するときに行うことができる。
【０１０１】
本発明による受信機は、いくつかのパイロットセルのシンボルが送信機によって変更されたことを理解している。
【０１０２】
そのような信号を復号化するには、可能な解決法は、隣接するパイロットセルで得られたチャネル推定間の相関性を計算することである。ｈｎ＝（ｈ１，ｎ，...，ｈＰ，ｎ）で、ｎ番目のＯＦＤＭシンボルで伝送されたパイロットセルにおいて推定されたチャネル係数のベクトルを示すと、ベクトルｎ＝（ｒ１，ｎ，...，ｒＰ−１，ｎ）は次式を用いて計算される。
【数８】
2014532370.tif 000010
係数ｈｉ，ｎ間の相関性のため、以下の仮説が仮定され、
【数９】
2014532370.tif 000011
式中、Ｅ［．］は「期待値演算」を示す。
【０１０３】
例えばＤＶＢ−Ｔ規格を考慮するとき、この仮定は以下の検討材料によって支持される。
【０１０４】
無線チャネルのコヒーレンシーバンドは下記の通りであり、
【数１０】
2014532370.tif 000012
式中、τｍａｘ＝ｍａｘｉ［τｉ］は伝播遅延の散在であり、ＤＶＢ−ＴについてＥＴＳＩ規格で定義されるチャネルモードにおいて５.４２ｘ１０-６にほぼ等しく、８ｋのＤＶＢ−Ｔモード（８１９２ＯＦＤＭサブキャリア）において、当該バンドは、ほぼ１６５サブキャリアの間隔に対応する。２つの近いパイロットセル間の周波数距離１６のサブキャリア、すなわちコヒーレンシーバンドよりもはるかに小さい間隔であるため、上記の仮説は確証される。
【０１０５】
ここでＰ'＝Ｐ＋Ｒであり、ただしＰ＝（ｐ１，...，ｐｋ−１，ｐｋ，ｐｋ＋１，...，ｐＰ）であり、Ｐ'＝（ｐ'１，...，ｐ'ｋ−１，−ｐ'ｋ，ｐ'ｋ＋１，...，ｐ'Ｐ）の場合を検討する。この場合、Ｒ＝（０，... ，０，−２ｐｋ，０，... ，０）である。
【０１０６】
ベクトルｒｎは、位相がほぼπラジアンである要素ｒｋ−１，ｎおよびｒｋ，ｎを除き、ほぼ０の成分を特徴とする。
【０１０７】
このように、ベクトルＲにおけるパルス位置を推定し、従って補助的シグナリングシンボルの復調を行うことは可能である。
【０１０８】
最後に、Ｒが一度推定されると、元のパイロット系列Ｐ＝Ｐ'−Ｒを取り出し、従って一次的信号を最適に受信することが可能である。
【０１０９】
「補助的シグナリング」が「一次的シグナリング」に関して成分Ｓにスーパーインポーズされるとき、以下の検討材料があてはまる。
【０１１０】
一次的シグナリングシンボルは、非常に堅固な、すなわち非常に低い信号対ノイズの比（通常、データについて要求される最低の信号対ノイズの比よりもはるかに低い）で動作することができる符号化および変調スキームを用いて伝送される。
【０１１１】
例えばＤＶＢ−Ｔ規格において、シグナリングシンボルの同一のブロックは、１７のサブキャリア（２ｋモード）または６８個のサブキャリア（８ｋモード）で反復する。更に、各ブロックは短縮ＢＣＨ符号（１２７，１１３，ｔ＝２）を用いて符号化し、短縮ＢＣＨ符号は１４冗長自由度ビットを付加し、最大で１ブロック毎に２つの誤ったビットを含む全てのエラー構成を修正することができる。
【０１１２】
一次的シグナリングブロックは、１つのＤＶＢ−Ｔフレーム（６８個の連続するＯＦＤＭシンボルに対応する）に対応する時間の間隔で伝送される。
【０１１３】
スーパーインポーズから生じる低下を最小化することを目的として、複数のブロックを介して二次的シグナリングシンボルを配分することが可能であり、従って１ＢＣＨ符号ブロック毎に丁度１ビットを変更する。この方法で、標準的受信機は、シグナリングサブキャリアのうちの１つで受信を行う最も単純な場合でも、変更に対応するエラーを修正することができる。
【０１１４】
これを行うことにより、１７ビットのワード（２ｋモード）または６８ビットのワード（８ｋモード）が各フレーム内での二次的シグナリングのために利用可能となる。
【０１１５】
標準的受信機は一次的シグナリングで検出された任意のエラーを修正するのみである。
【０１１６】
本発明による受信機は、一次的シグナリングブロックを復号化し、スーパーインポーズによって引き起こされたエラーを修正し、このようにして一次的シグナリング情報を推定する。次いで、一次的シグナリングのワードは標準的符号を用いて再符号化され、元の符号ワードと比較される。差異は二次的シグナリングの符号ワードであり、これは漸次に復号化されて、二次的シグナリング情報を得ることができる。
【０１１７】
ユーザメッセージに関して「補助的シグナリング」を成分Ｃにスーパーインポーズする場合、以下の検討材料があてはまる。
【０１１８】
システムは、一次的シグナリングにスーパーインポーズする場合と類似する方法で動作する。チャネルデコーダは、ノイズ、他の障害、またはスーパーインポーズによって誘発された変更により引き起こされたかどうかを問わず、いずれの伝送エラーも（その量が訂正能力よりも小さいとき）修正することができる。
【０１１９】
標準的受信機は、データ中で検出された任意のエラーを修正するのみである。
【０１２０】
本発明による受信機は、標準的受信機に類似するチャネル復号化を行う。次いで、標準的復号化により得られた情報系列は、符号化された二次的シグナリングに対応するワード符号を得るように受信したワードから再符号化および減算され、二次的シグナリングは漸次に復号化され、二次的シグナリング情報を得ることができる。
【０１２１】
ここまで、概ね「補助的シグナリング」および「ＯＦＤＭ信号のバンドについての情報」を参照した。
【０１２２】
当該情報は、多くの異なる方法で構造化することができる。例えば、ＯＦＤＭ信号が最大で４つのサブバンドに拡張され得ると仮定して、以下のフィールドを提供することがある。  −ｂ１：はい／いいえ（第１のサブバンドの存在または非存在）  −ｆｒｅｑ＿ｉｎｆ＿ｂ１：ｂ１の下限値  −ｆｒｅｑ＿ｓｕｐ＿ｂ１：ｂ１の上限値  −ｂ２：はい／いいえ（第２のサブバンドの存在または非存在）  −ｆｒｅｑ＿ｉｎｆ＿ｂ２：ｂ２の下限値  −ｆｒｅｑ＿ｓｕｐ＿ｂ２：ｂ２の上限値  −ｂ３：はい／いいえ（第３のサブバンドの存在または非存在）  −ｆｒｅｑ＿ｉｎｆ＿ｂ３：ｂ３の下限値  −ｆｒｅｑ＿ｓｕｐ＿ｂ３：ｂ３の上限値  −ｂ４：はい／いいえ（第４のサブバンド存在または非存在）  −ｆｒｅｑ＿ｉｎｆ＿ｂ４：ｂ４の下限値  −ｆｒｅｑ＿ｓｕｐ＿ｂ４：ｂ４の上限値  または他には、例えば以下のフィールドを使用することがある。  −ｎ＿ｂ：使用中のサブバンド数を示す数（１〜４）  −ｆｒｅｑ＿ｉｎｆ＿ｂ１：第１のサブバンドの下限値  −ｆｒｅｑ＿ｓｕｐ＿ｂ１：第１のサブバンドの上限値  −ｆｒｅｑ＿ｉｎｆ＿ｂ２：第２のサブバンドの下限値  −ｆｒｅｑ＿ｓｕｐ＿ｂ２：第２のサブバンドの上限値  −ｆｒｅｑ＿ｉｎｆ＿ｂ３：第３のサブバンドの下限値  −ｆｒｅｑ＿ｓｕｐ＿ｂ３：第３のサブバンドの上限値  −ｆｒｅｑ＿ｉｎｆ＿ｂ４：第４のサブバンドの下限値  −ｆｒｅｑ＿ｓｕｐ＿ｂ４：第４のサブバンドの上限値
【０１２３】
本発明が可変幅を有する１つのバンドのみを使用するＯＦＤＭシステムに実装されるとき、補助的シグナリング情報は単純に以下に集約され得る。  −ｆｒｅｑ＿ｉｎｆ＿ｂ：ＯＦＤＭ信号のバンドの下限値  −ｆｒｅｑ＿ｓｕｐ＿ｂ：ＯＦＤＭ信号のバンドの上限値
【０１２４】
上述から理解し得るように、本発明の核心は、伝送のモード、およびＯＦＤＭ信号のバンド、またおそらくはそのサブバンドについての情報の受信からなる。
【０１２５】
ＯＦＤＭ信号について、どの周波数が利用可能であるかを判断し、および／またはどの周波数をＯＦＤＭ伝送に実際に割り当てるべきであるかを決定するモードは、本発明の範囲を超える。モードは例えば、チャネルの質、ならびに／もしくはユーザアプリケーションまたはユーザからの要求を考慮してもよい。
【０１２６】
周波数バンドの利用は、例えば、そのバンドにおける無線周波数信号の電力を測定することによって確証することができる。電力が高い場合には、周波数バンドはすでに使用されている。対照的に、電力が予め定められた閾値よりも低い場合には、周波数バンドは使用されておらず、従って新たなＯＦＤＭ伝送に使用することができる。
【０１２７】
周波数または周波数バンドは、例えば、メモリまたはメモリ領域を処理に割り当てるべく電算機においてすでに利用されているものと類似の技術を用いることによって、ＯＦＤＭ信号に割り当てることができる。
【図１】
2014532370.tif 000013
【図２】
2014532370.tif 000014
【図３】
2014532370.tif 000015
【図４】
2014532370.tif 000016
【国際調査報告】
2014532370.tif 000017
2014532370.tif 000018
2014532370.tif 000019